(57)【要約】【課題】原稿画像の部分編集に要する手間や時間を軽減して効率化すると共に、原稿の部分編集の際の消費電力を低減する。【解決手段】印刷装置１は、複数ページからなる原稿および原稿を編集するための編集用原稿から原稿画像および編集画像を読み取るスキャナ部９と、スキャナ部９で読み取った原稿画像および編集画像をページ単位で記憶する記憶部６Ｃと、原稿画像を編集画像に基づいて編集する編集モードが設定されている場合に、記憶部６Ｃに記憶された原稿画像の中に、記憶部６Ｃに記憶された編集画像の先頭ページおよび最終ページと一致する画像が存在するか否かを判定する判定手段６Ａと、判定手段６Ａによる判定結果に基づいて、編集画像を用いて原稿画像を編集する編集手段６Ｂと、を有する。【選択図】図２
2018125782.tif 000002
【特許請求の範囲】
【請求項１】
複数ページからなる原稿および前記原稿を編集するための編集用原稿から原稿画像および編集画像を読み取る読取手段と、
前記読取手段で読み取った前記原稿画像および前記編集画像をページ単位で記憶する記憶手段と、
前記原稿画像を前記編集画像に基づいて編集する編集モードが設定されている場合に、前記記憶手段に記憶された前記原稿画像の中に、前記記憶手段に記憶された前記編集画像の先頭ページおよび最終ページと一致する画像が存在するか否かを判定する判定手段と、
前記判定手段による判定結果に基づいて、前記編集画像を用いて前記原稿画像を編集する編集手段と、
を備えたことを特徴とする画像処理装置。
【請求項２】
前記判定手段により、前記記憶手段に記憶された前記原稿画像の中に、前記編集画像の先頭ページおよび最終ページと一致する画像が存在すると判定された場合、
前記編集手段は、前記編集画像の総ページ数が２の場合に、前記記憶手段に記憶された前記原稿画像のうち、前記編集画像の先頭ページと最終ページとの間に対応する画像を削除する
ことを特徴とする請求項１記載の画像処理装置。
【請求項３】
前記判定手段により、前記記憶手段に記憶された前記原稿画像の中に、前記編集画像の先頭ページおよび最終ページと一致する画像が存在すると判定された場合、
前記編集手段は、前記編集画像の総ページ数が２よりも大きい場合に、前記記憶手段に記憶された前記原稿画像のうち、前記編集画像の先頭ページと最終ページとの間に対応する画像を、前記編集画像の先頭ページと最終ページとの間の画像により置換する
ことを特徴とする請求項１記載の画像処理装置。
【請求項４】
前記判定手段により、前記記憶手段に記憶された前記原稿画像の中に、前記編集画像の先頭ページと一致する画像のみが存在すると判定された場合、
前記編集手段は、前記記憶手段に記憶された前記原稿画像のうち、前記編集画像の先頭ページに対応する画像以降の画像を、前記編集画像の先頭ページ以降の画像により置換し、
前記判定手段により、前記記憶手段に記憶された前記原稿画像の中に、前記編集画像の最終ページと一致する画像のみが存在すると判定された場合、
前記編集手段は、前記記憶手段に記憶された前記原稿画像のうち、前記編集画像の最終ページに対応する画像以前の画像を、前記編集画像の最終ページ以前の画像により置換する
ことを特徴とする請求項１記載の画像処理装置。
【請求項５】
前記判定手段により、前記記憶手段に記憶された前記原稿画像の中に、前記編集画像の先頭ページおよび最終ページと一致する画像が存在しないと判定された場合、
前記編集手段は、前記記憶手段に記憶された前記原稿画像の後に前記編集画像を追加する
ことを特徴とする請求項１記載の画像処理装置。
【発明の詳細な説明】
【技術分野】
【０００１】
本発明は、原稿画像の部分編集を省電力、かつ効率的に実施することができる画像処理装置に関する。
【背景技術】
【０００２】
原稿上の画像データを原稿画像として光学的に読み取る自動原稿読取装置や、この自動原稿読取装置をスキャナ部として備え、そのスキャナ部で読み取った原稿画像を用紙などの媒体に印刷（コピー）して出力するコピー機などの画像処理装置が広く普及している。また、画像処理装置としては、例えばパーソナルコンピュータ（ＰＣ）からネット回線を介して送信される原稿画像などを媒体上にプリントして出力することが可能な印刷装置や、印刷装置およびコピー機としての機能の他、ファクシミリとしての機能などを複合的に備えたデジタル複合機（ＭＦＰ）も実用化されている。さらには、ＰＣから送信される原稿画像やスキャナ部で読み取った原稿画像をプリント用のジョブ原稿として予め記憶しておき、それを必要に応じて媒体上にプリントして出力することが可能な画像処理装置も開発されている。
【０００３】
このような画像処理装置において、読み取った原稿画像の部分修正を行いたい場合、これまでは全ての原稿を再度読み取らせて原稿画像を作成し直す必要があった。これでは、原稿が多ページにわたる場合、編集する必要のない原稿画像までも再び読み取らせることとなり、非常に効率が悪い。
【０００４】
そんな中、画像処理装置においては、原稿画像の部分編集が可能な機器も開発されている（例えば、特許文献１，２，３参照）。
【０００５】
ここで、特許文献１に記載の技術は、ユーザによる操作を簡略化できるようにするための画像編集プログラムを備え、例えば、切り出し範囲に対応した連続する２つのページのうちの先のページの一部と後のページの一部とを原稿画像から抽出し、抽出した範囲の画像に基づいて出力画像を生成するようにしたものである。
【０００６】
特許文献２は、文書データのプレビューを表示する場合に、文書データを章単位のツリー構造として表示するようにしたものであって、編集操作の効率化が可能な表示を実現するための技術を開示している。
【０００７】
特許文献３に記載の画像形成装置は、画像形成動作に係る複数のページの複数のプレビュー画像を画像形成動作と並行してタッチパネル上に表示させ、表示中のプレビュー画像に対するフリック操作などのジェスチャ操作に応じて、ページ削除処理などの編集処理を実行するようにしたものである。
【先行技術文献】
【特許文献】
【０００８】
【特許文献１】特開２００８−０７８７５７号公報
【特許文献２】特開２０１２−２３８３１８号公報
【特許文献３】特開２０１４−２３０２１１号公報
【発明の概要】
【発明が解決しようとする課題】
【０００９】
しかしながら、上記した特許文献１，２に開示の技術では、編集する必要のない原稿画像までも再度読み取らせるという問題は解決できるものの、原稿画像が多ページにわたる場合、編集したい原稿画像を検索するのに手間を要し、また編集したい原稿画像が多くなると、編集のための操作が煩雑になるという問題があった。
【００１０】
特に、上記した特許文献３に開示の技術では、特定のページ画像を削除することはできるものの、原稿画像の一部を新たに追加するといった部分編集を行うことはできない。
【００１１】
本発明は上記に鑑みてなされたもので、原稿画像の部分編集に要する手間や時間を軽減して効率化すると共に、原稿の部分編集の際の消費電力を低減することができる画像処理装置を提供することを目的とする。
【課題を解決するための手段】
【００１２】
上記目的を達成するため、本発明に係る画像処理装置の第１の特徴は、
複数ページからなる原稿および前記原稿を編集するための編集用原稿から原稿画像および編集画像を読み取る読取手段と、
前記読取手段で読み取った前記原稿画像および前記編集画像をページ単位で記憶する記憶手段と、
前記原稿画像を前記編集画像に基づいて編集する編集モードが設定されている場合に、前記記憶手段に記憶された前記原稿画像の中に、前記記憶手段に記憶された前記編集画像の先頭ページおよび最終ページと一致する画像が存在するか否かを判定する判定手段と、
前記判定手段による判定結果に基づいて、前記編集画像を用いて前記原稿画像を編集する編集手段と、を備えたことにある。
【００１３】
上記目的を達成するため、本発明に係る画像処理装置の第２の特徴は、
前記判定手段により、前記記憶手段に記憶された前記原稿画像の中に、前記編集画像の先頭ページおよび最終ページと一致する画像が存在すると判定された場合、
前記編集手段は、前記編集画像の総ページ数が２の場合に、前記記憶手段に記憶された前記原稿画像のうち、前記編集画像の先頭ページと最終ページとの間に対応する画像を削除することにある。
【００１４】
上記目的を達成するため、本発明に係る画像処理装置の第３の特徴は、
前記判定手段により、前記記憶手段に記憶された前記原稿画像の中に、前記編集画像の先頭ページおよび最終ページと一致する画像が存在すると判定された場合、
前記編集手段は、前記編集画像の総ページ数が２よりも大きい場合に、前記記憶手段に記憶された前記原稿画像のうち、前記編集画像の先頭ページと最終ページとの間に対応する画像を、前記編集画像の先頭ページと最終ページとの間の画像により置換することにある。
【００１５】
上記目的を達成するため、本発明に係る画像処理装置の第４の特徴は、
前記判定手段により、前記記憶手段に記憶された前記原稿画像の中に、前記編集画像の先頭ページと一致する画像のみが存在すると判定された場合、
前記編集手段は、前記記憶手段に記憶された前記原稿画像のうち、前記編集画像の先頭ページに対応する画像以降の画像を、前記編集原稿の先頭ページ以降の画像により置換し、
前記判定手段により、前記記憶手段に記憶された前記原稿画像の中に、前記編集画像の最終ページと一致する画像のみが存在すると判定された場合、
前記編集手段は、前記記憶手段に記憶された前記原稿画像のうち、前記編集画像の最終ページに対応する画像以前の画像を、前記編集画像の最終ページ以前の画像により置換することにある。
【００１６】
上記目的を達成するため、本発明に係る画像処理装置の第５の特徴は、
前記判定手段により、前記記憶手段に記憶された前記原稿画像の中に、前記編集画像の先頭ページおよび最終ページと一致する画像が存在しないと判定された場合、
前記編集手段は、前記記憶手段に記憶された前記原稿画像の後に前記編集画像を追加することにある。
【発明の効果】
【００１７】
本発明に係る画処理装置の第１の特徴によれば、判定手段が、原稿画像を編集画像に基づいて編集する編集モードが設定されている場合に、記憶手段に記憶された原稿画像の中に、記憶手段に記憶された編集画像の先頭ページおよび最終ページと一致する画像が存在するか否かを判定し、編集手段が、判定手段による判定結果に基づいて、編集画像を用いて原稿画像を編集する。
【００１８】
すなわち、編集用原稿を読取手段によって読み取らせることにより、原稿画像の編集しようとする範囲や編集内容を自動的に特定し、編集画像による原稿画像の部分編集を自動化できるようにしている。これにより、原稿画像のページ数が多い場合にも、ユーザが編集しようとする原稿画像をいちいち検索したり、編集する原稿画像の範囲や編集内容を指定したり設定したりすることなしに、原稿画像を簡単に編集できるようになる。したがって、ユーザの煩雑な操作を極力減らすことが可能となるとともに、原稿画像の全てを再度読み取らせるといった効率の悪さを改善でき、装置の消費電力を低減させることができる。
【００１９】
本発明に係る画像処理装置の第２の特徴は、原稿画像の中に、編集画像の先頭ページおよび最終ページと一致する画像が存在するとともに、編集画像の総ページ数が２の場合、編集画像の先頭ページと最終ページとの間の原稿画像を削除する。
【００２０】
これにより、原稿画像を編集画像によって部分編集する場合において、編集しようとする原稿画像を自動的に削除できる。
【００２１】
本発明に係る画像処理装置の第３の特徴は、原稿画像の中に、編集画像の先頭ページおよび最終ページと一致する画像が存在するとともに、編集画像の総ページ数が２よりも大きい場合、編集画像の先頭ページと最終ページとの間の原稿画像を、編集画像の先頭ページと最終ページとの間の画像により置換する。
【００２２】
これにより、原稿画像を編集画像によって部分編集する場合において、編集しようとする原稿画像を編集画像により自動的に置換できる。
【００２３】
本発明に係る画像処理装置の第４の特徴は、原稿画像の中に、編集画像の先頭ページと一致する画像のみが存在する場合、編集画像の先頭ページに対応する画像以降の原稿画像を編集原稿の先頭ページ以降の画像により置換し、原稿画像の中に、編集画像の最終ページと一致する画像のみが存在する場合、編集画像の最終ページに対応する画像以前の原稿画像を編集画像の最終ページ以前の画像により置換する。
【００２４】
これにより、原稿画像を編集画像によって部分編集する場合において、編集しようとする原稿画像を編集画像により自動的に置換できる。
【００２５】
本発明に係る画像処理装置の第５の特徴は、原稿画像の中に、編集画像の先頭ページおよび最終ページと一致する画像が存在しない場合、原稿画像の後に編集画像を追加する。
【００２６】
これにより、原稿画像を編集画像によって部分編集する場合において、編集しようとする原稿画像に編集画像を自動的に追加できる。
【図面の簡単な説明】
【００２７】
【図１】本発明の第１の実施の形態に係る画像処理装置が適用される印刷装置の概略構成図である。
【図２】第１の実施の形態に係る印刷装置の制御ブロック図である。
【図３】（ａ），（ｂ）は、それぞれ、第１の実施の形態に係る印刷装置の操作部に設けられた表示器の表示例を示す図である。
【図４】（ａ），（ｂ）は、それぞれ、第１の実施の形態に係る印刷装置において、原稿画像とその原稿画像より算出されるレイアウト情報の一例を示す図である。
【図５】（ａ）〜（ｅ）は、それぞれ、第１の実施の形態に係る印刷装置において、原稿画像を部分的に編集する場合の一例を示す図である。
【図６】第１の実施の形態に係る印刷装置において、原稿編集モード時の制御を説明するためのフローチャートである。
【図７】第１の実施の形態に係る印刷装置において、原稿編集モード時の制御を説明するための、図６に続くフローチャートである。
【図８】（ａ），（ｂ）は、それぞれ、第２の実施の形態に係る印刷装置の操作部に設けられた表示器の表示例を示す図である。
【図９】（ａ）〜（ｅ）は、それぞれ、第２の実施の形態に係る印刷装置のジョブ原稿を部分的に編集する場合の一例を示す図である。
【図１０】本発明の第２の実施の形態に係る印刷装置において、原稿編集モード時の制御を説明するためのフローチャートである。
【発明を実施するための形態】
【００２８】
以下、本発明の実施の形態について、図面を参照して説明する。各図面を通じて同一もしくは同等の部位や構成要素には、同一もしくは同等の符号を付している。
【００２９】
以下に示す実施形態は、この発明の技術的思想を具体化するための装置などを例示するものであって、この発明の技術的思想は、各構成部品の材質、形状、構造、配置などを下記のものに特定するものでない。この発明の技術的思想は、特許請求の範囲において、種々の変更を加えることができる。
【００３０】
（第１の実施の形態）
図１は、本発明の第１の実施の形態に係る画像処理装置が適用される印刷装置１の概略構成図である。図２は、図１に示す印刷装置１の制御ブロック図である。以下の説明においては、図１の紙面に直交する方向を前後方向とし、紙面表方向を前方とする。また、図１における紙面の上下左右を上下左右方向とする。
【００３１】
なお、ここでは、スキャナ部で読み取った原稿上の画像データを部分編集（原稿編集）することが可能な印刷装置１としてインクジェット（ＩＪ）プリンタを例示して説明するが、該ＩＪプリンタにおいては、例えばＰＣ（パーソナルコンピュータ）などの外部機器から送信される原稿画像を印刷媒体上にプリントして出力することが可能な構成としても良い。
【００３２】
また、画像処理装置としては、自動原稿読取装置、および自動原稿読取装置をスキャナ部として備えるコピー機やファクシミリ装置、複数の機能を複合的に備えるデジタル複合機としてのＭＦＰ（Multi-Function Peripheral）などの画像形成装置にも適用可能である。
【００３３】
図１に示す印刷装置１においては、印刷媒体である用紙Ｐの搬送を行う搬送経路が太線により示されている。搬送経路のうち、実線で示す経路が印刷部３の印刷経路ＲＰ、一点鎖線で示す経路が循環搬送部４の循環経路ＲＣ、破線で示す経路が排紙部５の第１排紙経路ＲＤ１および第２排紙経路ＲＤ２、二点鎖線で示す経路が給紙部２の外部給紙経路ＲＳ１および内部給紙経路ＲＳ２である。以下の説明における上流、下流は、搬送経路における上流、下流を意味する。
【００３４】
図１，図２に示すように、印刷装置１は、給紙部２と、印刷部３と、循環搬送部４と、排紙部５と、制御部６と、各部を収納または保持する筐体７と、筐体７に覆われた装置本体７Ａの上方に配置されるスキャナ部９と、を備える。
【００３５】
給紙部２は、印刷前の未印刷の用紙Ｐを印刷部３に給紙する。また、給紙部２は、両面印刷時に表面印刷後の用紙Ｐを印刷部３に再給紙する。給紙部２は、搬送経路の最も上流側に配置されている。
【００３６】
外部給紙台１１は、印刷に用いられる用紙Ｐが積載されるものである。外部給紙台１１は、一部が筐体７の外部に露出して設置されている。
【００３７】
外部給紙ローラ１２は、外部給紙台１１に積載された用紙Ｐを１枚ずつ取り込むとともに、外部給紙経路ＲＳ１に沿って印刷部３のレジストローラ３１へ向けて用紙Ｐを搬送する。
【００３８】
内部給紙台１３Ａ，１３Ｂは、印刷に用いられる用紙Ｐが積載されるものである。内部給紙台１３Ａ，１３Ｂは、筐体７の内部に配置されている。
【００３９】
内部給紙ローラ１４Ａ，１４Ｂは、それぞれ内部給紙台１３Ａ，１３Ｂに積載された用紙Ｐを１枚ずつ取り出し、用紙Ｐを搬送させる。
【００４０】
印刷部３は、用紙Ｐを搬送しつつ、用紙Ｐに画像を印刷する。印刷部３は、給紙部２の下流側に配置されている。印刷部３は、レジストローラ３１と、ベルト搬送部３３と、ベルトモータ３４と、ヘッドユニット３５とを備える。
【００４１】
レジストローラ３１は、搬送されてきた用紙Ｐを一旦止めて斜行補正した後、ベルト搬送部３３へ搬送する。レジストローラ３１は、印刷部３の上流部の印刷経路ＲＰ上に配置されている。
【００４２】
ベルト搬送部３３は、レジストローラ３１により搬送されてきた用紙Ｐをベルト上に吸着保持して搬送する。ベルト搬送部３３は、レジストローラ３１の下流側に配置されている。
【００４３】
ヘッドユニット３５は、用紙Ｐの搬送方向と直交する方向（前後方向）に沿って複数のノズルが配列されたラインタイプの複数のインクジェットヘッド（図示せず）を有する。ヘッドユニット３５は、ベルト搬送部３３の上方に配置されている。ヘッドユニット３５は、ベルト搬送部３３により搬送される用紙Ｐにインクジェットヘッドのノズルからインクを吐出して画像を印刷する。
【００４４】
循環搬送部４は、両面印刷時に表面印刷後の用紙Ｐを循環経路ＲＣに沿って搬送する。
【００４５】
排紙部５は、印刷済みの用紙Ｐを排紙トレイ５９へ排紙する。
【００４６】
装置本体７Ａの上方にはスキャナ部９を配置することが可能となっており、スキャナ部９を配置した場合にも、排紙トレイ５９の上方には、スキャナ台９Ａの下面との間に所定の高さの空間が確保されるようになっている。そして、排紙された用紙Ｐは、空間内において、排紙トレイ５９上に積載状態で集積される。
【００４７】
スキャナ部９は、原稿上の画像データを光学的に読み取って印刷部３で印刷するための情報を得るためのものである。スキャナ部９は、例えば、多ページの原稿を連続して読み取ることが可能な、いわゆるＡＤＦ（Auto Document Feeder）付きの自動原稿読取装置（詳細な説明は省略する）であって、画像処理装置として単独で動作可能である。
【００４８】
スキャナ部９は、スキャナ台９Ａによって装置本体７Ａの上方に配置可能とされている。
【００４９】
装置本体７Ａの上部側に対応する、例えば、スキャナ台９Ａの前面部には操作パネル１０が設けられる。操作パネル１０は、各種の操作キーやテンキーなどの入力部１０Ａの他、タッチパネル式の表示部１０Ｂを備える。操作パネル１０は、主にユーザが操作するもので、ジョブ（機能）の選択や動作の諸条件などの設定に用いられる。
【００５０】
詳細な説明は省略するが、操作パネル１０を用いて、操作の案内表示や、ジョブとしてのスキャン動作や原稿編集モードの設定、動作開始／停止／中止／割り込みの指示、コピー枚数の入力や用紙サイズの選択などが行われる。
【００５１】
制御部６は、操作パネル１０の操作に応じた動作プログラム（制御プログラム）にしたがって、印刷装置１の各部の動作を制御する。制御部６は、ＣＰＵ（図示省略）、およびＲＡＭ、ＲＯＭ、ハードディスクなどの記憶部（記憶手段）６Ｃを備えて構成される。
【００５２】
記憶部６Ｃは、各種の動作プログラムや処理ルーチンなどを記憶するとともに、ジョブに応じた規定値やフラグ、ユーザの設定に基づいた諸条件などを一時的に記憶する。また、記憶部６Ｃは、例えば、スキャナ部９で読み取った各種の原稿上の画像データ（以下、原稿画像ともいう）をページ単位で記憶する。
【００５３】
原稿編集モードの設定時、記憶部６Ｃは、追加で読み取った編集用原稿の画像データ（以下、編集画像ともいう）をページ単位で記憶するとともに、選択された原稿画像のレイアウト情報と編集画像のレイアウト情報とを記憶する。
【００５４】
また、記憶部６Ｃは、原稿編集モードの設定時に、編集画像の総ページ数、編集画像の先頭ページ番号、最終ページ番号、およびレイアウト情報が編集画像の先頭ページと一致する原稿画像のページ番号、レイアウト情報が編集画像の最終ページと一致する原稿画像のページ番号を記憶する。
【００５５】
なお、記憶部６Ｃとしては、スキャナ部９で読み取った原稿画像や編集画像を含め、例えば、ＰＣからネット回線ＩＮＩを介して送信される原稿画像などを、原稿単位でプリントジョブ用の登録原稿（以下、ジョブ原稿ともいう）として予め記憶できる、いわゆるボックス格納機能を備えるようにしても良い。
【００５６】
印刷部３で印刷された用紙Ｐの排紙先が後処理装置である場合、印刷済みの用紙Ｐは、第１排紙経路ＲＤ１へ導かれ、図示しない後処理装置へ排紙される。
【００５７】
これに対し、排紙先が排紙トレイ５９である場合、印刷済みの用紙Ｐは第２排紙経路ＲＤ２へ導かれ、排紙トレイ５９上へ排紙される。
【００５８】
また、原稿画像の部分編集を行う場合には、制御部６は、スキャナ部９によって編集用原稿上の画像データを読み取り、追加で読み取った画像データを編集画像としてページ単位で記憶部６Ｃに記憶させるとともに、編集対象として選択された原稿画像のページごとのレイアウト情報と編集画像のページごとのレイアウト情報とを算出し、記憶部６Ｃに記憶させる。
【００５９】
また、制御部６は、原稿画像の部分編集を行う場合、追加で読み取った編集画像の総ページ数を記憶部６Ｃに記憶させる。
【００６０】
また、制御部６は、その機能上、判定手段６Ａと編集手段６Ｂとを有している。
【００６１】
判定手段６Ａは、原稿画像の部分編集を行う場合、原稿画像のレイアウト情報と編集画像の先頭ページのレイアウト情報および最終ページのレイアウト情報とを比較する。そして、原稿画像の中に編集画像の先頭ページのレイアウト情報と一致するものがあるか否か、および最終ページのレイアウト情報と一致するものがあるか否かを判定する。
【００６２】
編集手段６Ｂは、判定手段６Ａによる判定結果に基づいて、編集画像を用いて原稿画像を編集する。
【００６３】
図３は、図１，図２に示した印刷装置１において、操作パネル１０における表示部１０Ｂの表示例を示すものであって、図３（ａ）はメインメニュー画面を、図３（ｂ）は原稿編集モード時の画面を、それぞれ示している。
【００６４】
すなわち、操作パネル１０の表示部１０Ｂには、例えば図３（ａ）に示すように、メインメニュー画面上において、コピー動作やスキャン動作またはプリント動作とともに、ジョブの１つとして原稿編集モードの選択ボタン１０Ｂ１が表示される。
【００６５】
メインメニュー画面が表示されている状態において、ユーザにより原稿編集モードの選択ボタン１０Ｂ１が押下操作されると、例えば図３（ｂ）に示すように、表示部１０Ｂの表示が原稿編集モードの画面に切り替えられる。
【００６６】
原稿編集モードの画面としては、記憶部６Ｃに記憶されている原稿（文書名）の一覧などとともに、例えば、「編集する原稿を選択し、スキャナに編集用原稿をセットした後、スタートキーを押して下さい」といった案内が表示される。
【００６７】
図４は、第１の実施の形態に係る印刷装置１によりスキャンされる原稿画像ＧＧｎとその原稿画像ＧＧｎより算出されるレイアウト情報ＧＧＬｎの一例を示すものである。
【００６８】
原稿画像ＧＧｎは、ページ単位で記憶部６Ｃに記憶されるもので、例えば図４（ａ）に示すように、原稿上の有効読み取り領域内の画像データが、図中に■で示す文字データと、文字データの余白部分に対応する文字スペースＭＳ１，ＭＳ２，ＭＳ３と、写真データＳＤとから構成される。
【００６９】
このような原稿画像ＧＧｎより算出されるレイアウト情報ＧＧＬｎとしては、例えば図４（ｂ）に示すように、文字スペースＭＳ１，ＭＳ２，ＭＳ３の左上の座標データ（ｘ１，ｙ１）、（ｘ２，ｙ２）、（ｘ３，ｙ３）と、写真データＳＤの左上の座標データ（ｘ４，ｙ４）とから構成される。レイアウト情報ＧＧＬｎは、原稿画像ＧＧｎに対応付けられて記憶部６Ｃ内に記憶される。
【００７０】
なお、詳細な説明は省略するが、記憶部６Ｃ内に記憶される編集原稿（ＨＧｎ）、およびその編集画像（ＨＧｎ）より算出されるレイアウト情報（ＨＧＬｎ）についても同様である。
【００７１】
ここで、原稿画像の編集を行う場合において、図４（ｂ）に示したレイアウト情報を用いて編集の範囲（編集箇所）を自動的に判定する方法について説明する。
【００７２】
図５（ａ）〜図５（ｅ）は、原稿画像を部分的に編集する場合に用いられる編集用原稿の一例を、編集の範囲と編集内容とともに示すものである。
【００７３】
図５（ａ）は、例えば、１０ページからなる原稿の最終ページの原稿画像「１０」の後ろ（末尾）に新たに２ページ分の編集画像「Ａ」，「Ｂ」を追加する場合の例である。この場合、編集用原稿として、スキャナ部９により追加する２ページ分の編集画像「Ａ」，「Ｂ」を追加で読み取らせる。
【００７４】
原稿編集モード時において、判定手段６Ａは、原稿画像「１」〜「１０」のレイアウト情報と編集画像「Ａ」，「Ｂ」のレイアウト情報とを比較し、原稿画像の中に編集画像と同じレイアウト情報の画像（「Ａ」，「Ｂ」）がないことにより、部分編集が原稿画像の末尾へのページ（「Ａ」，「Ｂ」）の追加であると判定する。
【００７５】
図５（ｂ）は、例えば、１０ページからなる原稿の６ページ目以降の５ページ分の原稿画像「６」，「７」，「８」，「９」，「１０」を、５ページ分の編集画像「Ａ」，「Ｂ」，「Ｃ」，「Ｄ」，「Ｅ」と差し替えることにより置換する場合の例である。この場合、編集用原稿として、スキャナ部９により５ページ目の原稿画像と同じ編集画像「５」と、置換する５ページ分の編集画像「Ａ」，「Ｂ」，「Ｃ」，「Ｄ」，「Ｅ」とを追加で読み取らせる。
【００７６】
原稿編集モード時において、判定手段６Ａは、１０ページからなる原稿画像のレイアウト情報と編集画像の先頭ページおよび最終ページのレイアウト情報とを比較し、原稿画像の中に編集画像の先頭ページと同じレイアウト情報の画像（「５」）があることなどから、部分編集が原稿画像における編集画像の先頭ページ以降のページの置換であると判定する。
【００７７】
図５（ｃ）は、例えば、１０ページからなる原稿の３〜５ページ目の３ページ分の原稿画像「３」，「４」，「５」を、別の２ページ分の編集画像「Ａ」，「Ｂ」と置換する場合の例である。この場合、編集用原稿として、スキャナ部９により２ページ目の原稿画像と同じ編集画像「２」と、置換する２ページ分の編集画像「Ａ」，「Ｂ」と、６ページ目の原稿画像と同じ編集画像「６」とを追加で読み取らせる。
【００７８】
原稿編集モード時において、判定手段６Ａは、１０ページからなる原稿画像のレイアウト情報と編集画像の先頭ページおよび最終ページのレイアウト情報とを比較し、原稿画像の中に編集画像の先頭ページおよび最終ページと同じレイアウト情報の画像（「２」，「６」）があり、編集画像の総ページ数が２以上であることなどから、部分編集が原稿画像の先頭ページと最終ページとの間のページの置換であると判定する。
【００７９】
図５（ｄ）は、例えば、１０ページからなる原稿の３〜５ページ目の３ページ分の原稿画像「３」，「４」，「５」を削除する場合の例である。この場合、編集用原稿として、スキャナ部９により２ページ目の原稿画像と同じ編集画像「２」と、６ページ目の原稿画像と同じ編集画像「６」とを追加で読み取らせる。
【００８０】
原稿編集モード時において、判定手段６Ａは、１０ページからなる原稿画像のレイアウト情報と編集画像の「２」，「６」のレイアウト情報とを比較し、原稿画像の中に編集画像と同じレイアウト情報の画像（「２」，「６」）があり、編集画像の総ページ数が２であることなどから、部分編集が原稿画像における編集原稿の先頭ページと最終ページとの間のページの削除であると判定する。
【００８１】
図５（ｅ）は、例えば、１０ページからなる原稿の６ページ目以前の５ページ分の原稿画像「１」，「２」，「３」，「４」，「５」を、別の５ページ分の編集画像「Ａ」，「Ｂ」，「Ｃ」，「Ｄ」，「Ｅ」と置換する場合の例である。この場合、編集用原稿として、スキャナ部９により置換する５ページ分の編集画像「Ａ」，「Ｂ」，「Ｃ」，「Ｄ」，「Ｅ」と、６ページ目の原稿画像と同じ編集画像「６」とを追加で読み取らせる。
【００８２】
原稿編集モード時において、判定手段６Ａは、１０ページからなる原稿画像のレイアウト情報と編集画像の先頭ページおよび最終ページのレイアウト情報とを比較し、原稿画像の中に編集画像の最終ページと同じレイアウト情報の画像（「６」）があることなどから、部分編集が原稿画像の最終ページ以前のページの置換であると判定する。
【００８３】
このように、原稿編集モード時において、編集画像とともに、必要に応じて、その前後の原稿画像を追加で読み取らせることにより、原稿画像の編集を行う範囲と、追加、削除、および置換といった編集内容とが自動的に特定されるので、ユーザが編集する原稿画像を検索したり、編集内容を画像単位で指定するといった手間や時間を軽減可能となる。
【００８４】
次に、上記した構成の印刷装置１において、原稿編集モード時の作用について説明する。
【００８５】
図６および図７は、原稿編集モード時の処理の流れを示すフローチャートである。なお、ここでは、メインメニューの画面上に原稿編集モードがジョブの１つとして予め設定されており、新たに複数ページにわたる原稿の読み取りを行うとともに、読み取った原稿画像の一部を部分編集する場合を例に説明する。
【００８６】
すなわち、操作パネル１０の表示部１０Ｂに、例えば図３（ａ）に示したようなメインメニューの画面が表示されている状態において、ユーザにより原稿のスキャン動作が選択されたとする。そして、ユーザによって原稿がスキャナ部９にセットされた後、操作パネル１０の入力部１０Ａからスタートキーが押下操作されると、制御部６は、スキャナ部９を制御して原稿画像を読み取らせ、スキャナ部９で読み取った原稿画像を、例えばページ単位で記憶部６Ｃ内に記憶させる（ステップＳ１０１）。このとき、制御部６は、記憶部６Ｃ内に記憶された原稿画像に応じて文書名の一覧を更新する。
【００８７】
なお、原稿画像の文書名は、記憶部６Ｃ内への原稿画像の記憶の終了に伴ってユーザに登録させたり、日時データなどに基づいて自動的に登録するようにしても良い。また、原稿画像は、ページ単位で記憶させる場合に限らず、例えば、原稿編集モードが選択されるまでは多ページ分の原稿画像を１文書単位で記憶させるようにしても良い。
【００８８】
ユーザによってメインメニュー画面より原稿編集モードが選択されない場合（ステップＳ１０３；ＮＯ）、原稿画像のスキャン動作は終了される。
【００８９】
一方、表示部１０Ｂにメインメニューの画面が表示された状態において、ユーザ操作によりメインメニューの画面より原稿編集モードが選択された場合（ステップＳ１０３；ＹＥＳ）、制御部６は、例えば図３（ｂ）に示した原稿編集モードの画面を表示部１０Ｂに表示させる。
【００９０】
そして、ユーザによって編集用原稿がスキャナ部９にセットされた後、入力部１０Ａからスタートキーが投入されると、制御部６は、スキャナ部９を制御して編集画像の読み取りを行わせ、スキャナ部９で読み取った編集画像を、ページ単位で記憶部６Ｃ内に記憶させる（ステップＳ１０５）。
【００９１】
そして、制御部６は、編集原稿の総ページ数を確認し、記憶部６Ｃ内に記憶させる（ステップＳ１０７）。
【００９２】
次に、制御部６の判定手段６Ａは、編集の対象としてユーザにより選択された原稿画像のレイアウト情報と編集画像のレイアウト情報とをページ単位に算出し、編集画像の先頭ページのレイアウト情報と一致するレイアウト情報の原稿画像があるか否かを判定する（ステップＳ１０９）。
【００９３】
編集画像の先頭ページのレイアウト情報と一致するレイアウト情報の原稿画像があると判定された場合（ステップＳ１０９；ＹＥＳ）、その原稿画像のページ番号（先頭一致ページ番号）を記憶部６Ｃ内に記憶させる（ステップＳ１１１）。
【００９４】
一方、編集画像の先頭ページのレイアウト情報と一致するレイアウト情報の原稿画像がないと判定された場合（ステップＳ１０９；ＮＯ）、先頭一致ページ番号は０のまま、処理をステップＳ１１３に移行させる。
【００９５】
ステップＳ１１３において、判定手段６Ａは、編集画像の最終ページのレイアウト情報と一致するレイアウト情報の原稿画像があるか否かを判定する（ステップＳ１１３）。
【００９６】
編集画像の最終ページのレイアウト情報と一致するレイアウト情報の原稿画像があると判定された場合（ステップＳ１１３；ＹＥＳ）、その原稿画像のページ番号（最終一致ページ番号）を記憶部６Ｃ内に記憶させる（ステップＳ１１５）。
【００９７】
一方、編集画像の最終ページのレイアウト情報と一致するレイアウト情報の原稿画像がないと判定された場合（ステップＳ１１３；ＮＯ）、最終一致ページ番号は０のまま、処理をステップＳ１１７に移行させる。
【００９８】
次に、判定手段６Ａは、記憶部６Ｃに記憶させた先頭一致ページ番号が「１」以上か否か（先頭一致ページ番号≧１）を判定する（ステップＳ１１７）。
【００９９】
先頭一致ページ番号が１以上であると判定された場合（ステップＳ１１７；ＹＥＳ）、判定手段６Ａは、記憶部６Ｃに記憶させた最終一致ページ番号が先頭一致ページ番号よりも大きいか否か（最終一致ページ番号＞先頭一致ページ番号）を判定する（ステップＳ１１９）。
【０１００】
最終一致ページ番号が先頭一致ページ番号以下の場合（ステップＳ１１９；ＮＯ）、判定手段６Ａは、図５（ｂ）に示したように、部分編集が原稿画像における編集画像の先頭ページ以降のページの置換であると判定する。すなわち、編集画像の先頭ページと同じレイアウト情報のものだけが原稿画像の中に存在する場合、編集手段６Ｂは、編集画像の先頭ページに対応する原稿画像の、それ以降の原稿画像を、編集原稿の先頭ページ以降のものによって置換し、記憶部６Ｃでの記憶を更新する（ステップＳ１２１）。
【０１０１】
このようにして、原稿画像の部分編集（置換）が行われた後、原稿編集モードは終了される。
【０１０２】
一方、最終一致ページ番号が先頭一致ページ番号よりも大きい場合（ステップＳ１１９；ＹＥＳ）、判定手段６Ａは、編集原稿の総ページ数を記憶部６Ｃ内より読み出し、総ページ数が「２」か否かを判定する（ステップＳ１２３）。
【０１０３】
編集画像の総ページ数が「２」でない場合（ステップＳ１２３；ＮＯ）、判定手段６Ａは、図５（ｃ）に示したように、部分編集が原稿画像における編集原稿の先頭ページと最終ページとの間のページの置換であると判定する。すなわち、編集画像の先頭ページと最終ページと同じレイアウト情報のものが原稿画像の中に存在し、かつ編集画像が３ページ以上の場合、編集手段６Ｂは、編集画像の先頭ページに対応する原稿画像の、それ以降の原稿画像から、編集画像の最終ページに対応する原稿画像の、それ以前の原稿画像までを、編集原稿の先頭ページ以降から最終ページ以前までのものによって置換し、記憶部６Ｃでの記憶を更新する（ステップＳ１２５）。
【０１０４】
このようにして、原稿画像の部分編集（置換）が行われた後、原稿編集モードは終了される。
【０１０５】
編集画像の総ページ数が「２」の場合（ステップＳ１２３；ＹＥＳ）、判定手段６Ａは、図５（ｄ）に示したように、部分編集が原稿画像における編集原稿の先頭ページと最終ページとの間のページの削除であると判定する。すなわち、編集画像の先頭ページと最終ページと同じレイアウト情報のものが原稿画像の中に存在し、かつ編集画像が先頭ページと最終ページの２ページからなる場合、編集手段６Ｂは、編集画像の先頭ページに対応する原稿画像の、それ以降の原稿画像から、編集画像の最終ページに対応する原稿画像の、それ以前の原稿画像までを削除し、記憶部６Ｃでの記憶を更新する（ステップＳ１２７）。
【０１０６】
このようにして、原稿画像の部分編集（削除）が行われた後、原稿編集モードは終了される。
【０１０７】
一方、先頭一致ページ番号が「１」よりも小さい場合（ステップＳ１１７；ＮＯ）、制御部６は、記憶部６Ｃに記憶させた最終一致ページ番号が「１」以上か否か（最終一致ページ番号≧１）を判定する（ステップＳ１２９）。
【０１０８】
最終一致ページ番号が「１」よりも小さい場合（ステップＳ１２９；ＮＯ）、判定手段６Ａは、図５（ａ）に示したように、部分編集が原稿画像の末尾へのページの追加であると判定する。すなわち、編集画像の先頭ページおよび最終ページと同じレイアウト情報のものが原稿画像の中に存在しない場合、編集手段６Ｂは、原稿画像の末尾に編集画像を追加し、記憶部６Ｃでの記憶を更新する（ステップＳ１３１）。
【０１０９】
このようにして、原稿画像の部分編集（追加）が行われた後、原稿編集モードは終了される。
【０１１０】
最終一致ページ番号が「１」以上の場合（ステップＳ１２９；ＹＥＳ）、判定手段６Ａは、図５（ｅ）に示したように、部分編集が原稿画像における編集画像の最終ページ以前のページの置換であると判定する。すなわち、編集画像の最終ページと同じレイアウト情報のものだけが原稿画像の中に存在する場合、編集手段６Ｂは、編集画像の最終ページに対応する原稿画像の、それ以前の原稿画像を、編集原稿の最終ページ以前のものによって置換し、記憶部６Ｃでの記憶を更新する（ステップＳ１３３）。
【０１１１】
このようにして、原稿画像の部分編集（置換）が行われた後、原稿編集モードは終了される。
【０１１２】
上記のように、本発明の第１の実施の形態に係る画像処理装置が適用される印刷装置１によれば、原稿画像の一部をページ単位で編集する場合において、ユーザの煩雑な操作を極力減らすことができるとともに、省電力化を実現できる。すなわち、編集用原稿を読み取らせることのみにより、編集の範囲や編集内容を自動的に特定できるようにしたので、特に、ページ数の多い原稿画像を部分編集する場合において、原稿画像の部分編集に要する手間や時間を軽減して効率化することができる。また、原稿画像の一部を編集する場合において、複数ページにわたる原稿の全てを再度読み取らせる必要がないので、その分、消費電力を低減することができ経済的である。
【０１１３】
なお、上記した第１の実施の形態においては、原稿画像の読み取りを行った後の作業として、読み取った原稿画像の一部を部分編集する場合を例に説明したが、これに限らず、予め登録されている原稿画像の部分的な編集を行う場合にも同様に適用できる。
【０１１４】
（第２の実施の形態）
以下では、本発明の第２の実施の形態として、図１および図２に示した印刷装置１を例に、記憶部６Ｃに予め記憶されている複数のジョブ原稿を利用して、編集対象となる編集前のジョブ原稿の一部を編集用ジョブ原稿に基づいて部分編集し、その編集後のジョブ原稿をプリント出力する場合について説明する。
【０１１５】
第２の実施の形態においては、部分編集（原稿編集モード）として、編集前のジョブ原稿の一部に当該ジョブ原稿にない編集用ジョブ原稿を追加する処理、編集前のジョブ原稿の一部を当該ジョブ原稿にない編集用ジョブ原稿により置換する処理、および編集前のジョブ原稿の一部を削除する処理が可能とされる。
【０１１６】
第２の実施の形態に係る印刷装置１において、制御部６の判定手段６Ａは、ジョブ原稿の部分編集を行う場合に、ユーザ操作により選択される、編集前のジョブ原稿、編集用ジョブ原稿、編集前のジョブ原稿中の編集直前のページ番号、編集前のジョブ原稿中の編集直後のページ番号などの編集内容が設定されているか否かを判定する。
【０１１７】
編集手段６Ｂは、判定手段６Ａにより編集内容が設定されていると判定された場合、編集内容に基づいて、編集前のジョブ原稿の一部を部分的に編集する。
【０１１８】
そして、制御部６は、その編集内容（編集後のジョブ原稿）にしたがって印刷装置１の各部を制御し、編集後のジョブ原稿に応じたプリント出力を得るためのプリント動作を実行する。
【０１１９】
なお、編集手段６Ｂとしては、実際のプリント動作に用いる原稿画像を用いて編集作業を行うようにしても良いし、後述する表示部１０Ｂでのプレビュー表示の画面上において編集作業を仮想的に行い、割り込み処理（割り込みジョブ）などの機能を用いてプリント動作するものであっても良い。
【０１２０】
図８は、記憶部６Ｃに予め記憶されている複数のジョブ原稿を利用して編集処理を行う場合において、印刷装置１の操作パネル（設定手段）１０における表示部１０Ｂの表示例を示すものであって、図８（ａ）はメインメニュー画面（例えば、図３（ａ）参照）に続く原稿編集モード時の画面を、図８（ｂ）は編集内容の表示画面（プレビュー表示）を、それぞれ示している。
【０１２１】
すなわち、操作パネル１０の表示部１０Ｂにメインメニュー画面が表示されている状態において、ユーザにより原稿編集モードの選択ボタン１０Ｂ１が押下操作されると、例えば図８（ａ）に示すように、表示部１０Ｂの表示が原稿編集モードの画面に切り替えられる。
【０１２２】
原稿編集モードの画面としては、記憶部６Ｃに記憶されている原稿（文書名）の一覧などとともに、例えば、「編集する原稿と編集用原稿を選択して下さい」といった案内が表示される。
【０１２３】
また、原稿編集モードの画面上には、原稿の一覧とは別に、「空ジョブ」なる選択ボタン１０Ｂ２がリスト表示される。この選択ボタン１０Ｂ２は、例えば、編集用原稿に代えて押下操作されるものであって、「空ジョブ」は、原稿編集モード時において、編集対象となる編集前のジョブ原稿の一部を削除する処理の場合に選択される。
【０１２４】
原稿編集モードの画面が表示されている状態において、ユーザにより「確定」ボタンが押下操作されると、例えば図８（ｂ）に示すように、表示部１０Ｂが編集内容の表示画面に切り替えられる。
【０１２５】
編集内容の表示画面としては、編集前のジョブ原稿の原稿画像や編集用ジョブ原稿（編集用原稿の選択時）の原稿画像のページ番号がプレビュー表示されるとともに、編集後のジョブ原稿の原稿画像のページ番号がプレビュー表示される。編集用原稿の非選択時（後述する非選択ボタン１０Ｂ４の押下操作時）、編集用ジョブ原稿の欄は空欄となる。
【０１２６】
また、編集内容の表示画面上には、ページ選択ボタン１０Ｂ３と指定しない場合に押下操作される非選択ボタン１０Ｂ４、および、ページ選択ボタン１０Ｂ３の押下操作に応じて、編集前のジョブ原稿中の編集直前のページ番号や編集直後のページ番号が表示される。非選択ボタン１０Ｂ４の押下操作時には、指定しない場合の「×」が表示される。
【０１２７】
図９（ａ）〜図９（ｅ）は、それぞれ、編集対象の原稿を部分的に編集する場合の一例を、編集内容とプリント出力とともに示すものである。
【０１２８】
図９（ａ）は、編集前のジョブ原稿の一部に編集用ジョブ原稿を追加する場合の例である。
【０１２９】
原稿編集モード時において、例えば、１０ページからなる編集前のジョブ原稿と、編集用ジョブ原稿「Ａ」，「Ｂ」と、編集直前のページ番号「１０」と、編集直後のページ番号「×（指定しない）」とが、編集内容としてユーザによって選択されたとする。
【０１３０】
すると、判定手段６Ａは、編集直前のページ番号が「１０」であり、編集直後のページ番号が「×」であることから、編集内容が、編集前のジョブ原稿の最終ページの原稿画像「１０」の後ろ（末尾）に編集用ジョブ原稿を追加する処理であると判定する。
【０１３１】
この判定結果（編集内容）に基づいて、編集手段６Ｂは、編集前のジョブ原稿の１０ページ目の原稿画像の後ろに、２ページ分の編集用ジョブ原稿「Ａ」，「Ｂ」を追加する。
【０１３２】
この場合、制御部６は、編集後のジョブ原稿にしたがって各部を制御し、各ページ「１」〜「１０」の原稿画像に基づいたプリント動作を実行した後、連続して編集用ジョブ原稿「Ａ」，「Ｂ」に基づいたプリント動作を実行する。これにより、部分編集後のジョブ原稿として、１０ページからなるジョブ原稿の後ろに２ページ分の編集用ジョブ原稿が追加されたプリント出力が得られる。
【０１３３】
図９（ｂ）は、編集前のジョブ原稿の一部を編集用ジョブ原稿によって置換する場合の例である。
【０１３４】
原稿編集モード時において、例えば、１０ページからなる編集前のジョブ原稿と、編集用ジョブ原稿「Ａ」，「Ｂ」と、編集直前のページ番号「５」と、編集直後のページ番号「×（指定しない）」とが、編集内容としてユーザによって選択されたとする。
【０１３５】
すると、判定手段６Ａは、編集直前のページ番号が「５」であり、編集直後のページ番号が「×」であることから、編集内容が、編集前のジョブ原稿の６ページ目以降の原稿画像「６」〜「１０」を編集用ジョブ原稿によって置換する処理であると判定する。
【０１３６】
この判定結果（編集内容）に基づいて、編集手段６Ｂは、編集前のジョブ原稿の６ページ目〜１０ページ目の原稿画像を、２ページ分の編集用ジョブ原稿「Ａ」，「Ｂ」によって置き換える。
【０１３７】
この場合、制御部６は、編集後のジョブ原稿にしたがって各部を制御し、各ページ「１」〜「５」の原稿画像に基づいたプリント動作を実行した後、それ以降の編集前のジョブ原稿に基づいたプリント動作を中止するとともに、連続して編集用ジョブ原稿「Ａ」，「Ｂ」に基づいたプリント動作を実行する。これにより、部分編集後のジョブ原稿として、１０ページからなるジョブ原稿の後半の５ページ分が、２ページ分の編集用ジョブ原稿によって差し替えられたプリント出力が得られる。
【０１３８】
図９（ｃ）は、編集前のジョブ原稿の一部を編集用ジョブ原稿によって置換する場合の別の例である。
【０１３９】
原稿編集モード時において、例えば、１０ページからなる編集前のジョブ原稿と、編集用ジョブ原稿「Ａ」，「Ｂ」と、編集直前のページ番号「３」と、編集直後のページ番号「７」とが、編集内容としてユーザによって選択されたとする。
【０１４０】
すると、判定手段６Ａは、編集直前のページ番号が「３」であり、編集直後のページ番号が「７」であることから、編集内容が、編集前のジョブ原稿の４，５，６ページ目の原稿画像「４」，「５」，「６」を編集用ジョブ原稿によって置換する処理であると判定する。
【０１４１】
この判定結果（編集内容）に基づいて、編集手段６Ｂは、編集前のジョブ原稿の４ページ目〜６ページ目の原稿画像を、２ページ分の編集用ジョブ原稿「Ａ」，「Ｂ」によって置き換える。
【０１４２】
この場合、制御部６は、編集後のジョブ原稿にしたがって各部を制御し、各ページ「４」，「５」，「６」の原稿画像に基づいたプリント動作を実行する際においては、例えば割り込み処理として、編集用ジョブ原稿「Ａ」，「Ｂ」に基づいたプリント動作を実行する。これにより、部分編集後のジョブ原稿として、１０ページからなるジョブ原稿の４，５，６ページ目が、２ページ分の編集用ジョブ原稿「Ａ」，「Ｂ」により差し替えられたプリント出力が得られる。
【０１４３】
図９（ｄ）は、編集前のジョブ原稿の一部を「空ジョブ」の選択ボタン１０Ｂ２の操作に応じて削除する場合の例である。
【０１４４】
原稿編集モード時において、例えば、１０ページからなる編集前のジョブ原稿と、編集用ジョブ原稿としての「空ジョブ」と、編集直前のページ番号「３」と、編集直後のページ番号「７」とが、編集内容としてユーザによって選択されたとする。
【０１４５】
すると、判定手段６Ａは、編集直前のページ番号が「３」であり、編集直後のページ番号が「７」であり、編集用ジョブ原稿が「空ジョブ」であることから、編集内容が、編集前のジョブ原稿の４，５，６ページ目の原稿画像を削除する処理であると判定する。
【０１４６】
この判定結果（編集内容）に基づいて、編集手段６Ｂは、編集前のジョブ原稿の４ページ目〜６ページ目の原稿画像を削除する。
【０１４７】
この場合、制御部６は、編集後のジョブ原稿にしたがって各部を制御し、各ページ「４」，「５」，「６」の原稿画像に基づいたプリント動作を実行する際においては、例えばそのプリント動作の実行を中止する。これにより、部分編集後のジョブ原稿として、１０ページからなるジョブ原稿の、４，５，６ページ目が削除されたプリント出力が得られる。
【０１４８】
図９（ｅ）は、編集前のジョブ原稿の一部を編集用のジョブ原稿によって置換する場合のさらに別の例である。
【０１４９】
原稿編集モード時において、例えば、１０ページからなる編集前のジョブ原稿と、編集用ジョブ原稿「Ａ」，「Ｂ」と、編集直前のページ番号「×（指定しない）」と、編集直後のページ番号「４」とが、編集内容としてユーザによって選択されたとする。
【０１５０】
すると、判定手段６Ａは、編集直前のページ番号が「×」であり、編集直後のページ番号が「４」であることから、編集内容が、編集前のジョブ原稿の１，２，３ページ目の原稿画像「１」〜「３」を編集用ジョブ原稿によって置換する処理であると判定する。
【０１５１】
この判定結果（編集内容）に基づいて、編集手段６Ｂは、編集前のジョブ原稿の１，２３ページ目の原稿画像を、２ページ分の編集用ジョブ原稿「Ａ」，「Ｂ」によって置き換える。
【０１５２】
この場合、制御部６は、編集後のジョブ原稿にしたがって各部を制御するに当たり、まずは割り込み処理によって編集用ジョブ原稿「Ａ」，「Ｂ」に基づいたプリント動作を実行した後、編集前のジョブ原稿の１，２，３ページ目の原稿画像に基づいたプリント動作を中止し、連続して４ページ目以降の原稿画像に基づいたプリント動作を実行する。これにより、部分編集後のジョブ原稿として、１０ページからなるジョブ原稿の１，２，３ページ分が、２ページ分の編集用ジョブ原稿「Ａ」，「Ｂ」によって差し替えられたプリント出力が得られる。
【０１５３】
このように、原稿編集モード時において、予め記憶部６Ｃに記憶された複数のジョブ原稿を利用するとともに、ユーザの設定（編集内容）に応じてプリント動作を制御することにより、ジョブ原稿の一部を新たに追加、削除、置換といった部分編集が容易に可能となる。
【０１５４】
次に、上記した構成の印刷装置１において、原稿編集モード時の作用について説明する。
【０１５５】
図１０は、原稿編集モード時の処理の流れを示すフローチャートである。なお、ここでは、図９（ａ）〜図９（ｅ）を例に、ＰＣまたはスキャナ部９によって予め記憶部６Ｃ内に記憶された複数のジョブ原稿を利用し、編集前のジョブ原稿の一部を新たに追加、削除、置換してプリント出力する場合について説明する。
【０１５６】
すなわち、操作パネル１０の表示部１０Ｂに、図３（ａ）に示したようなメインメニューの画面が表示されている状態において、例えば、記憶部６Ｃに予め記憶されている原稿画像をプリント出力するプリント動作の前に、ユーザの選択ボタン１０Ｂ１の押下操作によって原稿編集モードが選択されたとする（ステップＳ２０１；ＹＥＳ）。すると、制御部６は、表示部１０Ｂの表示を、図８（ａ）に示した原稿編集モードの画面に切り換える（ステップＳ２０３）。
【０１５７】
また、原稿編集モードの画面が表示されている状態において、ユーザの選択操作により、例えば、編集対象となる編集前のジョブ原稿および編集用ジョブ原稿または空ジョブ（１０Ｂ２）が入力されると（ステップＳ２０５；ＹＥＳ）、制御部６は、表示部１０Ｂの表示を図８（ａ）に示した編集内容の表示画面に切り換える。そして、制御部６は、入力された編集前のジョブ原稿および編集用ジョブ原稿または空ジョブを画面上にプレビュー表示させるとともに、編集直前のページ番号や編集直後のページ番号の入力をユーザに促す（ステップＳ２０７）。
【０１５８】
編集内容の画面が表示されている状態において、ユーザの選択操作により、編集直前のページ番号や編集直後のページ番号が入力されたとする（ステップＳ２０９；ＹＥＳ）。すると、制御部６は、編集直前のページ番号や編集直後のページ番号を表示部１０Ｂの画面上に表示させる（ステップＳ２１１）。
【０１５９】
その後、制御部６の判定手段６Ａは編集内容が設定されているか否かを判定し、設定されていると判定された場合、編集内容にしたがって、編集手段６Ｂにより編集後のジョブ原稿の編集を行わせるとともに、印刷部３などを制御して編集後のジョブ原稿に応じたプリント出力を発生させる。
【０１６０】
すなわち、制御部６の判定手段６Ａは、例えば、編集用ジョブ原稿が空ジョブか否かを判定する（ステップＳ２１３）。空ジョブの場合（ステップＳ２１３；ＹＥＳ）、例えば図９（ｄ）に示したように、編集直前のページ番号が「３」であり、編集直後のページ番号が「７」であることから、その編集内容が、１０ページからなる編集前のジョブ原稿の４ページ目〜６ページ目の原稿画像を削除する処理であると判定する。
【０１６１】
この判定結果（編集内容）に基づいて、制御部６の編集手段６Ｂが、編集前のジョブ原稿の原稿画像「４」，「５」，「６」を削除することにより、印刷装置１からは、部分編集後のジョブ原稿として、ページ１，２，３，７，８，９，１０からなる原稿画像がプリント出力される（ステップＳ２１５）。
【０１６２】
このようにして、部分編集（削除）された原稿画像がプリント出力された後、原稿編集モードは終了される。
【０１６３】
また、制御部６の判定手段６Ａは、編集用ジョブ原稿が空ジョブでないと判定した場合（ステップＳ２１３；ＮＯ）、例えば、編集直前のページ番号が指定されているか否かを判定する（ステップＳ２１７）。編集直前のページ番号が指定されていない場合（ステップＳ２１７；ＮＯ）、例えば図９（ｅ）に示したように、編集用ジョブ原稿が「Ａ」，「Ｂ」であり、編集直後のページ番号が「４」であることから、その編集内容が、１０ページからなる編集前のジョブ原稿の１ページ目〜３ページ目の原稿画像を編集用ジョブ原稿によって置換する処理であると判定する。
【０１６４】
この判定結果（編集内容）に基づいて、制御部６の編集手段６Ｂが、編集前のジョブ原稿の原稿画像「１」，「２」，「３」を編集用ジョブ原稿「Ａ」，「Ｂ」によって置換することにより、印刷装置１からは、部分編集後のジョブ原稿として、ページＡ，Ｂ，４，５，６，７，８，９，１０からなる原稿画像がプリント出力される（ステップＳ２１９）。
【０１６５】
このようにして、部分編集（置換）された原稿画像がプリント出力された後、原稿編集モードは終了される。
【０１６６】
また、制御部６の判定手段６Ａは、編集直前のページ番号が指定されていると判定した場合（ステップＳ２１７；ＹＥＳ）、例えば、編集直後のページ番号が指定されているか否かを判定する（ステップＳ２２１）。編集直後のページ番号が指定されている場合（ステップＳ２２１；ＹＥＳ）、例えば図９（ｃ）に示したように、編集用ジョブ原稿が「Ａ」，「Ｂ」であり、編集直前のページ番号が「３」であり、編集直後のページ番号が「７」であることから、その編集内容が、１０ページからなる編集前のジョブ原稿の４ページ目〜６ページ目の原稿画像を編集用ジョブ原稿によって置換する処理であると判定する。
【０１６７】
この判定結果（編集内容）に基づいて、制御部６の編集手段６Ｂが、編集前のジョブ原稿の原稿画像「４」，「５」，「６」を編集用ジョブ原稿「Ａ」，「Ｂ」によって置換することにより、印刷装置１からは、部分編集後のジョブ原稿として、ページ１，２，３，Ａ，Ｂ，７，８，９，１０からなる原稿画像がプリント出力される（ステップＳ２２３）。
【０１６８】
このようにして、部分編集（置換）された原稿画像がプリント出力された後、原稿編集モードは終了される。
【０１６９】
また、制御部６の判定手段６Ａは、編集直後のページ番号が指定されていないと判定した場合（ステップＳ２２１；ＮＯ）、例えば、編集直前のページ番号が何番かを判定する（ステップＳ２２５）。
【０１７０】
編集直前のページ番号が編集前のジョブ原稿の最終ページの場合（ステップＳ２２５；ページ「１０」）、例えば図９（ａ）に示したように、編集用ジョブ原稿が「Ａ」，「Ｂ」であり、編集直後のページ番号が「×（指定しない）」であることから、その編集内容が、１０ページからなる編集前のジョブ原稿の末尾に編集用ジョブ原稿を追加する処理であると判定する。
【０１７１】
この判定結果（編集内容）に基づいて、制御部６の編集手段６Ｂが、編集前のジョブ原稿の原稿画像「１０」の後に、編集用ジョブ原稿「Ａ」，「Ｂ」を追加することにより、印刷装置１からは、部分編集後のジョブ原稿として、ページ１，２，３，４，５，６，７，８，９，１０，Ａ，Ｂからなる原稿画像がプリント出力される（ステップＳ２２７）。
【０１７２】
このようにして、部分編集（追加）された原稿画像がプリント出力された後、原稿編集モードは終了される。
【０１７３】
一方、編集直前のページ番号が編集前のジョブ原稿の最終ページでない場合（ステップＳ２２５；ページ「５」）、例えば図９（ａ）に示したように、編集用ジョブ原稿が「Ａ」，「Ｂ」であり、編集直後のページ番号が「×（指定しない）」であることから、その編集内容が、１０ページからなる編集前のジョブ原稿の５ページ目〜の原稿画像を編集用ジョブ原稿により置換する処理であると判定する。
【０１７４】
この判定結果（編集内容）に基づいて、制御部６の編集手段６Ｂが、編集前のジョブ原稿の原稿画像「５」の後を、編集用ジョブ原稿「Ａ」，「Ｂ」によって置換することにより、印刷装置１からは、部分編集後のジョブ原稿として、ページ１，２，３，４，５，Ａ，Ｂからなる原稿画像がプリント出力される（ステップＳ２２９）。
【０１７５】
このようにして、部分編集（置換）された原稿画像がプリント出力された後、原稿編集モードは終了される。
【０１７６】
なお、制御部６は、いずれの場合においても、編集後のジョブ原稿を新たな登録原稿として記憶部６Ｃ内に記憶させ、再プリント可能状態にしておくことで、いつでも再利用可能となる。
【０１７７】
また、編集後のジョブ原稿においては、プリント出力時に新しいページ番号を付記し直すようにしても良い。
【０１７８】
上記のように、本発明の第２の実施の形態に係る画像処理装置が適用される印刷装置１によれば、原稿画像の一部をページ単位で編集する場合において、ユーザの煩雑な操作を極力減らすことができるとともに、省電力化を実現できる。すなわち、予め記憶されている原稿画像をプリント出力させる場合において、編集内容を指定することのみにより、自動的に編集できるようにしたので、原稿画像の部分編集に要する手間や時間を軽減して効率化することができる。特に、編集前のジョブ原稿にない原稿画像を追加してプリント出力させる場合において、予め記憶された複数のジョブ原稿を利用して、原稿画像の部分編集が簡単にできるようにしたので、複数ページにわたる原稿の全てを新たに読み取らせる必要がなく、その分、消費電力を低減することができ経済的である。
【０１７９】
なお、ページ数が多く、編集内容を指定するのが容易でない場合には、例えば、編集対象の原稿画像をプリント出力させるためのジョブの実行中において、制御部６により、給紙開始のタイミングに応じて印刷部３に給紙された用紙Ｐのページ数に関する情報を取得し、そのページ数を表示部１０Ｂで表示させる。そして、給紙されたページ数が部分編集する原稿画像に一致したタイミングで、ユーザがキー操作を行ってジョブを中断させることにより、部分編集したい新しい編集画像をプリント出力させる割り込みジョブを実行させる。また、この割り込みジョブが終了したタイミングにおいて、中断したジョブを再開させる。こうして、編集対象の原稿画像をプリント出力させるためのジョブの実行中に編集画像の割り込みジョブを繰り返すことにより、予め記憶されている原稿画像の一部を編集してプリント出力させるようにしても良い。
【０１８０】
また、画像処理装置としては、ＩＪプリンタのような印刷装置に限らず、操作部や記憶部を備えたスキャナ装置、もしくはスキャナ装置を備えたコピー機やファクシミリ装置、またはデジタル複合機（ＭＦＰ）などの各種の画像形成装置にも適用可能である。
【０１８１】
また、第１の実施の形態においては、編集の範囲を特定する方法の１つとして画像データのレイアウト情報を用いるようにしたが、例えば、通し番号（ページ番号）の座標データや文字認識の結果などを用いるようにしても良い。
【０１８２】
本発明は、上記実施の形態に限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除しても良い。
【符号の説明】
【０１８３】
１  印刷装置
２  給紙部
３  印刷部
４  循環搬送部
５  排紙部
６  制御部
６Ａ  判定手段
６Ｂ  編集手段
６Ｃ  記憶部（記憶手段）
７  筐体
７Ａ  装置本体
９  スキャナ部
９Ａ  スキャナ台
１０  操作パネル
１０Ａ  入力部
１０Ｂ  表示部
１１  外部給紙台
１２  外部給紙ローラ
１３Ａ，１３Ｂ  内部給紙台
１４Ａ，１４Ｂ  内部給紙ローラ
３１  レジストローラ
３３  ベルト搬送部
３４  ベルトモータ
３５  ヘッドユニット
５７  第２排紙ローラ
５９  排紙トレイ
７１  排紙センサ
ＰＣ  パーソナルコンピュータ
ＩＮＩ  ネット回線
【図１】
2018125782.tif 000003
【図２】
2018125782.tif 000004
【図３】
2018125782.tif 000005
【図４】
2018125782.tif 000006
【図５】
2018125782.tif 000007
【図６】
2018125782.tif 000008
【図７】
2018125782.tif 000009
【図８】
2018125782.tif 000010
【図９】
2018125782.tif 000011
【図１０】
2018125782.tif 000012